(57)【特許請求の範囲】
【請求項１】
圧縮機、室内熱交換器、膨張弁、及び室外熱交換器を有し、これらが冷媒配管で接続されて冷凍サイクルを構成し、冷房運転及び暖房運転が可能であって、
前記室内熱交換器及び当該室内熱交換器に空気を供給する室内送風機を室内機に有し、前記室内機を乾燥するための乾燥運転可能な空気調和機において、
暖房運転を含む乾燥運転を行うか、或いは暖房運転を含まない乾燥運転を行うかを設定する設定手段と、
前記設定に基づいて乾燥運転の内容を決定する乾燥運転内容決定手段と、
前記乾燥運転内容決定手段の決定結果に基づいて前記室内送風機の回転数を決定し、前記室内送風機の送風量を制御する吹き出し風量決定手段とを有し、
前記乾燥運転内容決定手段は、
暖房運転を含む乾燥運転を行う場合には、
暖房運転と、前記吹き出し風量決定手段による送風運転及び送風停止運転のうち少なくとも一方とを組み合わせて乾燥運転を構成し、
暖房運転を含まない乾燥運転を行う場合には、
前記吹き出し風量決定手段による送風運転と、送風停止運転とを組み合わせて乾燥運転を構成する
ことを特徴とする空気調和機。
【請求項２】
前記設定手段から入力された前記設定を記憶し、当該記憶された前記設定を前記乾燥運転内容決定手段に出力する暖房運転可否決定手段を有する
ことを特徴とする請求項１に記載の空気調和機。
【請求項３】
前記室内機に、前記設定手段が設けられた
ことを特徴とする請求項１又は２に記載の空気調和機。
【請求項４】
前記室内機は、点灯表示可能である表示部を有し、
前記表示部は、前記設定手段の前記設定に基づいて点灯する色が異なる
ことを特徴とする請求項３に記載の空気調和機。
【請求項５】
リモコンを有し、
前記リモコンに、前記設定手段が設けられた
ことを特徴とする請求項１〜４のいずれか一項に記載の空気調和機。
【請求項６】
前記リモコンは、情報を表示する表示部を有し、
前記表示部は、前記設定手段の前記設定に基づいた情報を表示する
ことを特徴とする請求項５に記載の空気調和機。
【請求項７】
前記室内送風機から吹き出された空気の方向を変化させる風向板と、
前記暖房運転可否決定手段及び前記乾燥運転内容決定手段を有し、前記風向板の角度を制御する制御装置とを有し、
前記制御装置は、
乾燥運転時に、前記風向板を上吹きの角度とする
ことを特徴とする請求項２〜６のいずれか一項に記載の空気調和機。
【請求項８】
室内の温度を検知する室内温度センサーを有し、
前記制御装置は、前記室内温度センサーの検出結果に基づいて乾燥運転の内容を構成する
ことを特徴とする請求項７に記載の空気調和機。
【請求項９】
前記吹き出し風量決定手段は、
前記室内送風機の回転数を、暖房運転を含む乾燥運転を行う場合よりも暖房運転を含まない乾燥運転を行う場合の方が大きくなるように決定する
ことを特徴とする請求項１〜８のいずれか一項に記載の空気調和機。  
【発明の詳細な説明】
【技術分野】
【０００１】
本発明は、空気調和機に関し、特に、空気調和機の室内機を乾燥させる機能を備えた空気調和機に関するものである。
【背景技術】
【０００２】
空気調和機の使用目的は、ユーザーが快適で健康的な室内環境の中で活動できるようにすることである。そこで、たとえば夏などのように室内気温や室内湿度が上昇する場合には、空気調和機の冷房運転や除湿運転などを実施する。これにより、室内温度を低下させたり、室内湿度を低下させたりして、ユーザーは快適な室内環境を得ることができる。
しかし、冷房運転や除湿運転を行うことで、空気調和機の室内機内部が結露してしまい、室内機内部に水分が残留してしまう場合がある。そして、残留した水分により、室内機内部にカビや細菌類などが、発生・繁殖してしまう恐れがある。室内機内部に、カビや細菌類などが、発生・繁殖すると、空気調和機を使用する際にユーザーに異臭による不快感を与えたり、カビの胞子やカビ・細菌類の死骸などのアレルゲン物質を室内に放出することによる健康被害を与えたりしてしまう。
【０００３】
そこで、空気調和機には、冷房運転や除湿運転を行った後に、暖房運転あるいは送風運転を行い、空気調和機の室内機内部に残留する水分を乾燥させて、カビや細菌類が発生してしまうことを抑制するものが提案されている（たとえば、特許文献１参照）。なお、送風運転とは、冷暖房を行わないで、室内機に設けられた送風機だけを運転させることを言う。特許文献１に記載の技術は、暖房運転を含む乾燥運転を行うか、或いは暖房運転を含まない乾燥運転を行うかを、室内温度や運転時間などに基づいて自動で判定する。
【０００４】
その他に、乾燥運転として暖房運転を用い、乾燥運転開始時の室内温度と乾燥運転中の室内温度を検出し、乾燥運転開始時の室内温度と乾燥運転中の室内温度の差が一定以上大きくなったときに乾燥運転を終了させる機能を備えた空気調和機が提案されている（たとえば、特許文献２参照）。特許文献２に記載の技術は、運転時間を短縮するために送風運転ではなく暖房運転を用い、さらに、室内温度の差が一定以上大きくなったときに乾燥運転を終了させて室内環境の快適性に影響を及ぼすことを抑制している。
【先行技術文献】
【特許文献】
【０００５】
【特許文献１】特開平５−２２３３２５号公報（たとえば、図１４参照）
【特許文献２】特開２００４−８５０２０号公報（たとえば、明細書の２頁〜３頁及び図１０参照）
【発明の概要】
【発明が解決しようとする課題】
【０００６】
特許文献１に記載のような従来の空気調和機の場合は、室内機内部に残留する水分の乾燥を暖房運転のみで行うと、暖房運転によって室内温度や室内湿度が上昇して、室内環境が悪化するため、ユーザーに不快感を与えるという課題があった。一方、室内機内部に残留する水分の乾燥を送風運転のみで行うと、室内機内部を十分に乾燥させるために運転時間が非常に長くなる。運転時間が長い分、騒音が発生する時間が長くなるので、ユーザーに不快感を与えてしまうという課題があった。
また、ユーザーが、室内温度や室内湿度を高くしたくない、或いは騒音を発生させたくない時には、乾燥運転を行わない設定をする場合がある。しかし、この場合には、そもそも室内機内部の乾燥を行えなくなってしまうという課題があった。
【０００７】
特許文献２に記載の技術は、暖房運転開始時の室内温度と暖房運転中の室内温度の差が一定以上大きくなったときに暖房運転を終了させる機能を有している。しかし、設計者が一般的に許容されると考えて設定したこの室内温度の差が、ユーザーによっては許容できない場合がある。その場合には、ユーザーに不快感を与えてしまうという課題があった。
また、設計者が一般的に許容されると考えて設定した室内温度の差が、ユーザーにとって許容できないことにより、ユーザーが乾燥運転を行わない設定をする場合がある。しかし、この場合には、そもそも室内機内部の乾燥を行えなくなってしまうという課題があった。
【０００８】
本発明は、上記のような課題を解決するためになされたもので、乾燥運転を行うことで室内機内部に残留する水分を乾燥させるとともに、その乾燥運転によってユーザーの快適性が損なわれてしまうことを抑制する空気調和機を提供することを目的としている。
【課題を解決するための手段】
【０００９】
本発明に係る空気調和機は、圧縮機、室内熱交換器、膨張弁、及び室外熱交換器を有し、これらが冷媒配管で接続されて冷凍サイクルを構成し、冷房運転及び暖房運転が可能であって、室内熱交換器及び当該室内熱交換器に空気を供給する室内送風機を室内機に有し、室内機を乾燥するための乾燥運転可能な空気調和機において、暖房運転を含む乾燥運転を行うか、或いは暖房運転を含まない乾燥運転を行うかを設定する設定手段と、設定に基づいて乾燥運転の内容を決定する乾燥運転内容決定手段と、乾燥運転内容決定手段の決定結果に基づいて、室内送風機の回転数を決定し、制御する吹き出し風量決定手段とを有し、乾燥運転内容決定手段は、暖房運転を含む乾燥運転を行う場合には、暖房運転と、吹き出し風量決定手段による送風運転及び送風停止運転のうち少なくとも一方とを組み合わせて乾燥運転を構成し、暖房運転を含まない乾燥運転を行う場合には、吹き出し風量決定手段による送風運転と、送風停止運転とを組み合わせて乾燥運転を構成するものである。
【発明の効果】
【００１０】
本発明に係る空気調和機は、ユーザーが、暖房運転を含む乾燥運転を行うか、或いは暖房運転を含まない乾燥運転を行うかを選択することができるので、室内機内部に残留する水分を乾燥させるとともに、乾燥運転によってユーザーの快適性が損なわれてしまうことを抑制することができる。
【図面の簡単な説明】
【００１１】
【図１】本発明の実施の形態１に係る空気調和機の制御装置のシステム構成の一例を示す図である。
【図２】本発明の実施の形態１に係る空気調和機の冷媒回路構成例を示す図である。
【図３】本発明の実施の形態１に係る空気調和機の制御装置の電気的な接続を説明する図である。
【図４】図３に示す制御装置の動作を説明するためのフローチャートである。
【図５】図３に示す制御装置の暖房運転を含む乾燥運転時の動作を説明するためのフローチャートである。
【図６】図３に示す制御装置の暖房運転を含まない乾燥運転時の動作を説明するためのフローチャートである。
【図７】図３に示す制御装置の暖房運転時の動作を説明するためのフローチャートである。
【図８】本発明の実施の形態１に係る空気調和機に風向決定手段が設けられた場合のシステム構成の一例を示す図である。
【図９】本発明の実施の形態１に係る空気調和機に室内温度センサーが設けられた場合の制御装置の電気的な接続を説明する図である。
【図１０】図９に示す制御装置の暖房運転を含む乾燥運転時の動作を説明するためのフローチャートである。
【図１１】本発明の実施の形態１に係る空気調和機の乾燥運転時における室内機の表示動作について説明する図である。
【図１２】本発明の実施の形態２に係る空気調和機の制御装置のシステム構成の一例を示す図である。
【図１３】本発明の実施の形態２に係る空気調和機の制御装置の電気的な接続を説明する図である。
【図１４】図１３に示す制御装置の動作を説明するためのフローチャートである。
【図１５】本発明の実施の形態２に係る空気調和機の乾燥運転時におけるリモコンの表示動作について説明する図である。
【図１６】本発明の実施の形態２に係る空気調和機に風向決定手段が設けられた場合のシステム構成の一例を示す図である。
【図１７】本発明の実施の形態２に係る空気調和機に室内温度センサーが設けられた場合の制御装置の電気的な接続を説明する図である。
【発明を実施するための形態】
【００１２】
以下、図面に基づいて本発明の実施の形態について説明する。
実施の形態１．
図１は、本発明の実施の形態１に係る空気調和機１０２の制御装置のシステム構成の一例を示す図である。図２は、本発明の実施の形態１に係る空気調和機１０２の冷媒回路構成例を示す図である。本空気調和機１０２は、室内機１００内部に残留する水分を乾燥させるための乾燥運転を、ユーザーの快適性が損なうことを抑制しながら行う機能を有している。
【００１３】
[空気調和機１０２のシステム構成]
空気調和機１０２は、その本体が、室内機１００及び室外機１０１から構成されている。この室内機１００は、機器の動作を制御する制御装置１９、及び後述する室内熱交換器１３において室内空気と熱交換を促進する室内送風機１２を有している。
一方、室外機１０１は、冷凍サイクルを流通する冷媒を圧縮する圧縮機９と、室外熱交換器１４において外気と熱交換を促進する室外送風機１０と、冷媒回路における流路を切り替える四方弁１５と、冷媒を減圧し膨張させる膨張弁１６と、圧縮機９の回転数、室外送風機１０の風量、四方弁１５の切り替え及び膨張弁１６の絞り開度を制御する室外機制御装置４０とを有している。なお、本実施の形態１に係る空気調和機１０２の室外機１０１に、膨張弁１６が設けられているものとして説明したが、特に、限定されるものではない。たとえば、膨張弁１６が室内機１００に設けられている場合には、室外機制御装置４０の代わりに制御装置１９が、膨張弁１６を制御してもよい。なお、膨張弁１６が、絞り開度の変化しないものや変化が不要な場合には、膨張弁１６を制御しなくてもよい。
【００１４】
本実施の形態１に係る空気調和機１０２の制御装置１９は、暖房運転、冷房運転、除湿運転、及び乾燥運転などの各運転に応じて、圧縮機９、室外送風機１０、及び室内送風機１２などの運転を制御するものである。この制御装置１９は、乾燥運転に暖房運転を含めるかを決定する暖房運転可否決定手段１、乾燥運転の運転内容を決定する乾燥運転内容決定手段４、及び室内送風機１２の回転数を決定し室内送風機１２の風量を制御する吹き出し風量決定手段１１を有している。
【００１５】
暖房運転可否決定手段１は、暖房運転を含む乾燥運転を行うか、或いは暖房運転を含まない乾燥運転を行うかを決定し、当該判断結果を乾燥運転内容決定手段４に出力するものである。この暖房運転可否決定手段１は、暖房運転を含む乾燥運転を行うか、或いは暖房運転を含まない乾燥運転を行うかの設定をするための設定手段１８（後述）から入力される設定内容を記憶する記憶手段２と、その記憶された設定内容に基づいて暖房運転を含む乾燥運転を行うか、或いは暖房運転を含まない乾燥運転を行うかを、後述の乾燥運転内容決定手段４に出力する暖房運転可否判定手段３とから構成されている。つまり、暖房運転可否決定手段１は、設定手段１８（後述）から入力された設定を記憶し、その記憶された設定を乾燥運転内容決定手段４に出力するものである。なお、本実施の形態１に係る空気調和機１０２において、設定手段１８は、室内機１００に設けられており、たとえばボタン、スイッチなどで構成されているものとする。
【００１６】
乾燥運転内容決定手段４は、暖房運転可否決定手段１の判断結果に基づいて、乾燥運転の運転内容の決定、乾燥運転の時間の決定、及び乾燥運転時間の測定を行う。この乾燥運転内容決定手段４は、乾燥運転の運転内容を決定する運転内容決定手段５と、当該乾燥運転を構成する各運転の運転時間を決定する運転時間決定手段６と、当該乾燥運転を構成する各運転の運転開始からの運転時間を測定する運転時間計測手段７とから構成されている。
なお、運転内容の決定とは、運転内容決定手段５が、暖房運転、送風停止、及び送風運転を組み合わせて乾燥運転を構成することをさす。たとえば、運転内容決定手段５が、暖房運転可否決定手段１から暖房運転を含まない乾燥運転を行うという出力を受けた場合には、送風停止、及び送風運転を組み合わせて乾燥運転の内容を決定するものとする。
【００１７】
吹き出し風量決定手段１１は、乾燥運転内容決定手段４の乾燥運転の運転内容の決定結果、及び乾燥運転の時間の決定結果に基づいて、室内送風機１２の回転数を決定し、室内送風機１２の風量を制御するものである。たとえば、暖房運転を含む乾燥運転を行う場合よりも暖房運転を含まない乾燥運転を行う場合の方が、室内送風機１２の回転数が大きくなるように、吹き出し風量決定手段１１は、室内送風機１２の回転数を決定してもよい。
つまり、暖房運転を含む乾燥運転時には、室内送風機１２の回転数を抑えて運転することにより室内に暖房空気が供給されることを抑制し、ユーザーの快適性が損なわれてしまうことを抑制することができる。一方、暖房運転を含まない乾燥運転時には、室内送風機の回転数を上げて運転することにより室内機１００の乾燥が促進される。これにより、乾燥時間が低減されるので、その分騒音の発生時間が短くなるので、ユーザーの快適性が損なわれてしまうことを抑制することができる。
なお、室内送風機１２の回転数の決定は、これに限られるものではない。たとえば、吹き出し風量決定手段１１が、室内送風機１２の回転数を、記憶手段２（後述のメモリ２０）に記憶された設定内容に応じて決定してもよい。
【００１８】
室外機制御装置４０は、少なくとも圧縮機９及び室外送風機１０を制御するものである。この室外機制御装置４０は、室内機１００に設けられた制御装置１９と信号線で結線されて情報のやり取りが可能となっている。つまり、暖房運転を行う際には、制御装置１９から室外機制御装置４０へ暖房運転実施の情報が伝わる。そして、室外機制御装置４０は、その暖房運転実施の情報に基づいて、少なくとも圧縮機９及び室外送風機１０の運転を制御する。
【００１９】
［空気調和機１０２の冷媒回路構成］
図２に示すように、空気調和機１０２は、冷媒回路を流通する冷媒を圧縮する圧縮機９、冷媒回路における流路を切り替える四方弁１５、外気と冷媒との熱交換を実施する室外熱交換器１４、冷媒を減圧し膨張させる膨張弁１６、及び室内空気と冷媒との熱交換を実施する室内熱交換器１３を有している。そして、これらが冷媒配管で接続されて冷凍サイクルを構成している。
なお、室外熱交換器１４には、外気と冷媒との熱交換を促進する室外送風機１０が設置され、また、室内熱交換器１３には、室内空気と冷媒との熱交換を促進する室内送風機１２が設置されている。
【００２０】
圧縮機９は、冷媒を吸入し、その冷媒を圧縮して高温・高圧の状態にして冷媒回路に搬送するものである。この圧縮機９は、冷房運転時において、一方が四方弁１５を介して室外熱交換器１４に接続され、他方が四方弁１５を介して室内熱交換器１３に接続されている。圧縮機９は、例えば容量制御可能なインバータ圧縮機等で構成してもよい。
四方弁１５は、暖房運転時における冷媒の流れと冷房運転時における冷媒の流れを切り替えるものである。この四方弁１５は、暖房運転時において、圧縮機９の吐出側と室内熱交換器１３を接続するとともに、圧縮機９の吸引側と室外熱交換器１４を接続する（図２の破線矢印参照）。また、冷房運転時において、圧縮機９の吐出側と室外熱交換器１４を接続するとともに、圧縮機９の吸引側と室内熱交換器１３を接続する（図２の実線矢印参照）。
【００２１】
室外熱交換器１４は、暖房運転時には蒸発器として機能し、冷房運転時には放熱器（ガスクーラー）として機能し、室外送風機１０から供給される外気と冷媒との間で熱交換を行なうものである。この室外熱交換器１４は、一方が四方弁１５に接続され、他方が膨張弁１６に接続されている。室外熱交換器１４は、たとえば冷媒配管を流れる冷媒とフィンを通過する空気との間で熱交換ができるようなプレートフィンアンドチューブ型熱交換器で構成してもよい。
膨張弁１６は、冷媒回路を流通する冷媒を減圧して膨張させるものである。この膨張弁１６は、開度が可変に制御可能なもの、たとえば電子式膨張弁等で構成してもよい。
室内熱交換器１３は、暖房運転時には放熱器として機能し、冷房運転時には蒸発器として機能し、室内送風機１２から供給される空気と冷媒との間で熱交換を行ない、空調対象空間に供給するための暖房用空気、冷房用空気、或いは乾燥運転用の空気を生成するものである。この室内熱交換器１３は、たとえば冷媒配管を流れる冷媒とフィンを通過する空気との間で熱交換ができるようなプレートフィンアンドチューブ型熱交換器で構成してもよい。
【００２２】
［空気調和機１０２の冷凍サイクルの動作］
図２を参照しながら、同図で示される冷媒回路の冷凍サイクル動作について説明する。
図２において、冷房運転及び除湿運転時には、冷媒回路内の冷媒は実線で示す矢印の方向に流れ、一方、暖房運転には、冷媒回路内の冷媒は破線で示す矢印の方向に流れる。
【００２３】
まず、冷房運転及び除湿運転について説明する。冷房運転又は除湿運転開始時に、四方弁１５が、冷媒回路内の冷媒が図２の実線で示す方向に流れるように、流路が切り替えられる。圧縮機９によって圧縮され吐出された気体冷媒は、四方弁１５を経由して、室外熱交換器１４へ流入する。この室外熱交換器１４に流入した気体冷媒は、室外送風機１０から供給される外気と熱交換が実施されて凝縮し、室外熱交換器１４から流出する。この室外熱交換器１４から流出した冷媒は、膨張弁１６に流入し、この膨張弁１６によって膨張され減圧される。減圧された冷媒は、室内熱交換器１３に流入し、室内送風機１２から供給される室内空気と熱交換が実施されて気化し、室内熱交換器１３から流出する。この室内熱交換器１３から流出した気体冷媒は、四方弁１５を介して圧縮機９に吸引される。
【００２４】
次に、暖房運転について説明する。暖房運転開始時に、四方弁１５が、冷媒回路内の冷媒が図２に示す破線で示す方向に流れるように、流路が切り替えられる。圧縮機９によって圧縮され吐出された気体冷媒は、四方弁１５を経由して、室内熱交換器１３に流入する。この室内熱交換器１３に流入した気体冷媒は、室内送風機１２から供給される室内空気と熱交換が実施され凝縮し、室内熱交換器１３から流出する。この室内熱交換器１３から流出した冷媒は、膨張弁１６に流入し、この膨張弁１６によって膨張され減圧される。減圧された冷媒は、室外熱交換器１４に流入し、室外送風機１０から供給される室外空気と熱交換が実施されて気化し、室外熱交換器１４から流出する。この室外熱交換器１４から流出した気体冷媒は、四方弁１５を介して圧縮機９に吸引される。
【００２５】
図３は、本発明の実施の形態１に係る空気調和機１０２の制御装置１９の電気的な接続を説明する図である。
制御装置１９は、少なくとも、圧縮機９、室外送風機１０、及び室内送風機１２の風量などを制御するものである。なお以下の説明では、圧縮機９、室外送風機１０、及び室内送風機１２を動作装置２７と称することもある。
図３に示すように、制御装置１９は、空気調和機１０２を起動するための電源スイッチ１７に接続されている。また、制御装置１９は、暖房運転を含む乾燥運転を行うか、或いは暖房運転を含まない乾燥運転を行うかの設定をするための設定手段１８、及び動作装置２７に接続されており、設定手段１８の設定結果に基づいて動作装置２７を制御することができる。なお、制御装置１９は、たとえばマイクロコンピューターなどで構成してもよい。
【００２６】
制御装置１９は、制御装置１９に信号を取り込む入力回路２１、様々なデータを記憶するためのメモリ２０、演算部と制御部からなるＣＰＵ２２、及びＣＰＵ２２の処理結果を動作装置２７に出力する出力回路２３から構成されている。入力回路２１は、設定手段１８などから出力された信号を取り込み、当該信号をＣＰＵ２２に出力するものである。メモリ２０は、乾燥運転の暖房運転可否決定プログラムと乾燥運転決定プログラムが記憶されている。ＣＰＵ２２は、暖房運転可否決定プログラムと乾燥運転決定プログラムに基づいて、演算処理と制御値の決定処理を行い、それらの処理結果を出力回路２３に出力するものである。出力回路２３は、動作装置２７を制御するために、ＣＰＵ２２の演算処理及び決定処理などをアクチュエーター出力へと変換して動作装置２７に出力するものである。なお、メモリ２０は、記憶手段２に対応し、ＣＰＵ２２は、暖房運転可否判定手段３、乾燥運転内容決定手段４、及び吹き出し風量決定手段１１に対応している。
【００２７】
[乾燥運転の動作説明]
図４は、図３に示す制御装置１９の動作を説明するためのフローチャートである。図５は、図３に示す制御装置１９の暖房運転を含む乾燥運転時の動作を説明するためのフローチャートである。図６は、図３に示す制御装置１９の暖房運転を含まない乾燥運転時の動作を説明するためのフローチャートである。図７は、図３に示す制御装置１９の暖房運転時の動作を説明するためのフローチャートである。以下、図３〜図７を参照しながら、本実施の形態１に係る空気調和機１０２の乾燥運転の動作について説明する。
なお、以下の説明において、通常運転とは、冷房運転、除湿運転又は乾燥を目的としない暖房運転をさす。また、送風停止とは、制御装置１９の吹き出し風量決定手段１１によって室内送風機１２の回転数をゼロにして送風を行わないことをさす。また、送風運転とは、制御装置１９の吹き出し風量決定手段１１によって室内送風機１２を動作させ送風を行うことをさす。さらに、暖房運転とは、四方弁１５の接続が暖房運転となるようするとともに、圧縮機９と室外送風機１０を動作させ、そして、必要に応じて室内送風機１２を動作させることをさす。
【００２８】
まず、図４を参照しながら、空気調和機１０２の乾燥運転の動作について説明する。
（ＳＴ１）
制御装置１９は、冷房運転、除湿運転、又は暖房運転などの通常運転の終了に伴い、圧縮機９、室外送風機１０を停止させる。また、制御装置１９の吹き出し風量決定手段１１が、室内送風機１２を停止させる。
【００２９】
（ＳＴ２）
制御装置１９は、ステップＳＴ１の時点（通常運転の終了の時点）での設定手段１８の設定を読み込む。
【００３０】
（ＳＴ３）
制御装置１９の暖房運転可否決定手段１は、ステップＳＴ２の設定に基づいて、暖房運転を含む乾燥運転を行うか、或いは暖房運転を含まない乾燥運転を行うかを決定する。なお、暖房運転を含む乾燥運転を行う設定の場合にステップＳＴ４に進み、暖房運転を含まない乾燥運転を行う設定の場合にステップＳＴ５に進む。
【００３１】
（ＳＴ４）
ステップＳＴ３にて暖房運転を含む乾燥運転を行うことが確認された場合は、制御装置１９が、暖房運転を含む乾燥運転を開始させる。つまり、制御装置１９は、暖房運転を実施するために、圧縮機９及び室外送風機１０を運転させる。また、制御装置１９の吹き出し風量決定手段１１は、吹き出し風量決定手段１１によって決定された風量で室内送風機１２を運転させる。
【００３２】
（ＳＴ５）
ステップＳＴ３にて暖房運転を含まない乾燥運転を行うことが確認された場合は、制御装置１９は、暖房運転を含まない乾燥運転を開始させる。つまり、制御装置１９の吹き出し風量決定手段１１は、吹き出し風量決定手段１１によって決定された風量で室内送風機１２を運転させる。また、圧縮機９及び室外送風機１０に関しては、停止させたままとする。
【００３３】
（ＳＴ６）
乾燥運転を構成する各運転が全て終了すると、制御装置１９は、圧縮機９、室外送風機１０及び室内送風機１２のうち運転しているものを停止させる。
【００３４】
次に、図４のステップＳＴ４（暖房運転を含む乾燥運転）の詳細内容について、図５を参照しながら説明する。なお、図４のステップＳＴ４の詳細内容の説明にあたり、図５（ａ）の暖房運転を含む乾燥運転（１）のフローチャートを用いて説明する。
（ＳＴ１）
制御装置１９の吹き出し風量決定手段１１は、室内送風機１２の送風を停止する。なお、圧縮機９及び室外送風機１０は、停止したままとする。
【００３５】
（ＳＴ２）
運転時間計測手段７は、送風停止の開始からの時間がＸ１分以上になったかを判定する。Ｘ１分以上経過したと判定された場合には、ステップＳＴ３に進む。
また、Ｘ１分以上経過していないと判定された場合には、ステップＳＴ１に戻る。つまり、制御装置１９の吹き出し風量決定手段１１は継続して送風停止し、また、運転時間計測手段７は送風停止開始からの時間を継続してカウントする。
【００３６】
（ＳＴ３）
制御装置１９の吹き出し風量決定手段１１は、送風運転を開始するために、吹き出し風量決定手段１１によって決定された風量で室内送風機１２を運転させる。なお、圧縮機９及び室外送風機１０は、停止させたままとする。
【００３７】
（ＳＴ４）
運転時間計測手段７は、送風運転の開始からの時間がＸ２分以上になったかを判定する。Ｘ２分以上経過したと判定された場合には、ステップＳＴ５に進む。
また、Ｘ２分以上経過していないと判定された場合には、ステップＳＴ３に戻る。つまり、制御装置１９の吹き出し風量決定手段１１は、継続して送風運転を行うとともに、運転時間計測手段７が、送風運転開始からの時間を継続してカウントする。
【００３８】
（ＳＴ５）
制御装置１９の吹き出し風量決定手段１１は、送風運転を終了するために、室内送風機１２の運転を停止させる。また、制御装置１９は、暖房運転（乾燥運転中の暖房運転）を開始するために、圧縮機９及び室外送風機１０の運転を開始する。
【００３９】
（ＳＴ６）
制御装置１９は、暖房運転を終了するために、圧縮機９及び室外送風機１０の運転を停止する。また、制御装置１９の吹き出し風量決定手段１１は、送風運転２を開始するために、制御装置１９の吹き出し風量決定手段１１によって決定された風量で室内送風機１２を運転させる。
【００４０】
（ＳＴ７）
運転時間計測手段７は、送風運転２の開始からの時間がＸ４分以上になったかを判定する。Ｘ４分以上経過したと判定された場合には送風運転２を終了し、以上をもって乾燥運転の終了となる。
また、Ｘ４分以上経過していないと判定された場合には、ステップＳＴ６に戻る。つまり、制御装置１９の吹き出し風量決定手段１１は、継続して送風運転２を行うとともに、運転時間計測手段７が、送風運転２開始からの時間を継続してカウントする。
【００４１】
ここで、図５の暖房運転を含む乾燥運転（１）のステップＳＴ５の詳細内容について、図７を参照しながら説明する。
（ＳＴ１）
制御装置１９は、暖房運転（乾燥運転中の暖房運転）を開始するために、圧縮機９及び室外送風機１０の運転を開始する。
【００４２】
（ＳＴ２）
運転時間計測手段７は、暖房運転の開始からの時間がＸ３分以上になったかを判定する。Ｘ３分以上経過したと判定された場合には暖房運転を終了する。
また、Ｘ３分以上経過していないと判定された場合には、ステップＳＴ１に戻る。つまり、制御装置１９は、継続して暖房運転を行うとともに、運転時間計測手段７が、暖房運転開始からの時間を継続してカウントする。
【００４３】
なお、図５においては、上記で説明した暖房運転を含む乾燥運転（１）の他に、暖房運転を含む乾燥運転（２）、（３）のフローチャートも例として図示している。これらの暖房運転を含む乾燥運転（２）、（３）に記載された乾燥運転を行うことでも、空気調和機１０２は、暖房運転を含む乾燥運転（１）と同様の効果を得ることができる。
【００４４】
ここで、図５（ａ）における暖房運転を含む乾燥運転（１）と、図５（ｂ）における暖房運転を含む乾燥運転（２）の違いは、暖房運転を含む乾燥運転（２）には、暖房運転を含む乾燥運転（１）の送風停止（ＳＴ１）と、その送風停止を終了するための条件（ＳＴ２）がない点である。つまり、暖房運転を含む乾燥運転（１）におけるステップＳＴ３〜ステップＳＴ７が、暖房運転を含む乾燥運転（２）におけるステップＳＴ９〜ステップＳＴ１３に対応している。
また、図５（ａ）における暖房運転を含む乾燥運転（１）と、図５（ｃ）における暖房運転を含む乾燥運転（３）の違いは、暖房運転を含む乾燥運転（３）には、暖房運転を含む乾燥運転（１）の送風停止（ＳＴ１）と、その送風停止を終了するための条件（ＳＴ２）と、送風運転１（ＳＴ３）と、その送風運転１を終了するための条件（ＳＴ４）がない点である。つまり、暖房運転を含む乾燥運転（１）におけるステップＳＴ５〜ステップＳＴ７に対応している。
【００４５】
また、図５の暖房運転を含む乾燥運転（１）〜（３）のうち、どの乾燥運転を行うかを決定するのが乾燥運転内容決定手段４の運転内容決定手段５である。
ただし、図５の暖房運転を含む乾燥運転（１）〜（３）は、暖房運転を含む乾燥運転の例である。つまり、ここでの運転内容決定手段５は、暖房運転を含むように、暖房運転、送風停止、及び送風運転などを組み合わせて、乾燥運転を構成するものである。
また、運転内容決定手段５が、設けられていなくてもよい。この場合には、空気調和機１０２は、予め設定している運転の内容（暖房運転を含むものとする）で乾燥運転するようにすればよい。
また、運転内容決定手段５で決定した乾燥運転の各運転の運転時間を決定するのが運転時間決定手段６である。また、その各運転の運転時間を測定するのが運転時間計測手段７である。
【００４６】
次に、図４のステップＳＴ５（暖房運転を含まない乾燥運転）の詳細内容について、図６を参照しながら説明する。なお、図４のステップＳＴ５の詳細内容の説明にあたり、図６（ａ）の暖房運転を含まない乾燥運転（１）のフローチャートを用いて説明する。
（ＳＴ１）
制御装置１９の吹き出し風量決定手段１１は、室内送風機１２の送風を停止する。なお、圧縮機９及び室外送風機１０は、停止したままとする。
【００４７】
（ＳＴ２）
運転時間計測手段７は、送風停止の開始からの時間がＸ５分以上になったかを判定する。Ｘ５分以上経過したと判定された場合には、ステップＳＴ３に進む。
また、Ｘ５分以上経過していないと判定された場合には、ステップＳＴ１に戻る。つまり、制御装置１９の吹き出し風量決定手段１１は、継続して送風停止し、運転時間計測手段７は送風停止開始からの時間を継続してカウントする。
【００４８】
（ＳＴ３）
制御装置１９の吹き出し風量決定手段１１は、送風運転を開始するために、吹き出し風量決定手段１１によって決定された風量で室内送風機１２を運転させる。なお、圧縮機９及び室外送風機１０は、停止させたままとする。
【００４９】
（ＳＴ４）
運転時間計測手段７は、送風運転の開始からの時間がＸ６分以上になったかを判定する。Ｘ６分以上経過したと判定された場合には、送風運転を終了し、以上をもって乾燥運転の終了となる。
また、Ｘ６分以上経過していないと判定された場合には、ステップＳＴ３に戻る。つまり、制御装置１９の吹き出し風量決定手段１１は、継続して送風運転を行うとともに、運転時間計測手段７が、送風運転開始からの時間を継続してカウントする。
【００５０】
なお、図６においては、上記で説明した暖房運転を含まない乾燥運転（１）の他に、暖房運転を含まない乾燥運転（２）のフローチャートも例として図示している。この暖房運転を含まない乾運転（２）に記載された乾燥運転を行うことでも、空気調和機１０２は、暖房運転を含まない乾燥運転（１）と同様の効果を得ることができる。
【００５１】
ここで、図６（ａ）における暖房運転を含まない乾燥運転（１）と、図６（ｂ）における暖房運転を含まない乾燥運転（２）の違いは、暖房運転を含まない乾燥運転（２）には、暖房運転を含まない乾燥運転（１）の送風停止（ＳＴ１）と、その送風停止を終了するための条件（ＳＴ２）がない点である。つまり、暖房運転を含まない乾燥運転（１）におけるステップＳＴ３、ステップＳＴ４が、暖房運転を含まない乾燥運転（２）におけるステップＳＴ５、ステップＳＴ６に対応している。
【００５２】
また、図６の暖房運転を含まない乾燥運転（１）、（２）のうち、どの乾燥運転を行うかを決定するのが乾燥運転内容決定手段４の運転内容決定手段５である。ただし、図６の暖房運転を含まない乾燥運転（１）は、暖房運転を含まない乾燥運転の例である。つまり、ここでの運転内容決定手段５は、暖房運転を含まないように、送風停止、及び送風運転などを組み合わせて、乾燥運転を構成するものである。
また、運転内容決定手段５が、設けられていなくてもよい。この場合には、空気調和機１０２は、予め設定している運転の内容（暖房運転を含まないものとする）で乾燥運転するようにすればよい。
【００５３】
[空気調和機１０２の有する効果]
このように、本実施の形態１に係る空気調和機１０２は、ユーザーが、暖房運転を含む乾燥運転を行うか、或いは暖房運転を含まない乾燥運転を行うかを選択することができるので、室内機内部に残留する水分を乾燥させるとともに、乾燥運転によってユーザーの快適性が損なわれてしまうことを抑制することができる。
【００５４】
[空気調和機１０２の変形例１]
図８は、本発明の実施の形態１に係る空気調和機１０２に風向決定手段３１が設けられた場合のシステム構成の一例を示す図である。
本実施の形態１に係る空気調和機１０２は、図１に図示されるシステム構成の代わりに、図８に図示されるシステム構成を採用してもよい。つまり、乾燥運転時において、空気調和機１０２に設けられた風向決定手段３１が、室内機１００の吹出口に設けられる風向板３２の角度を制御するようにしてもよい。
風向決定手段３１は、図５〜図７に図示された送風運転１、送風運転２、及び暖房運転時において、風向板３２を上吹きにすることで、乾燥運転を実施しつつ、室内環境への影響を抑えることができる。つまり、乾燥運転を行うことで室内機１００内部に残留する水分を乾燥させるとともに、その乾燥運転によってユーザーの快適性が損なわれてしまうことを抑制することができる。
【００５５】
[空気調和機１０２の変形例２]
また、図４のステップＳＴ５に図示されるように、暖房運転を含まない乾燥運転を実施した場合には、図４のステップＳＴ４に図示される暖房運転を含む乾燥運転を実施した場合に比べて乾燥運転の運転時間を長くとらないと、室内機１００内部に残留する水分を乾燥させることができない。
そこで、室内機１００には、カビや細菌類の発生・繁殖を抑制する効果のあるオゾン発生器などが設けられていてもよい。暖房運転を含まない乾燥運転だけでなく、このオゾン発生器を併用することによって、室内機１００内部に残留する水分中に、カビや細菌類が発生・繁殖してしまうことを抑制することができる。
また、乾燥運転の時間を短縮する設定をするとともに乾燥運転終了後にオゾン発生器を運転させるようにするとよい。これにより、予め定められた乾燥運転の時間を短縮することができるので、騒音が発生する時間が短くなり、ユーザーの快適性が損なわれてしまうことを抑制することができる。また、水分が残留しても、オゾン発生器によってカビや細菌類が発生・繁殖してしまうことが抑制される。
【００５６】
[空気調和機１０２の変形例３]
図９は、本発明の実施の形態１に係る空気調和機１０２に室内温度センサー３３が設けられた場合の制御装置１９の電気的な接続を説明する図である。図１０は、図９に示す制御装置１９の暖房運転を含む乾燥運転時の動作を説明するためのフローチャートである。
本実施の形態１に係る空気調和機１０２は、図９に図示されるように、室内温度センサー３３が設けられている。そして、室内機１００に設けられた設定手段１８だけでなく、室内温度センサー３３の検出結果に基づいて制御装置１９が、動作装置２７を制御する。なお、図３と図９の違いは、図９において室内温度センサー３３がさらに設けられている点である。
【００５７】
そして、室内温度センサー３３が設けられた場合には、運転内容決定手段５が、図７の乾燥運転中の暖房運転（１）のフローチャートの代わりに、図１０に示す乾燥運転中の暖房運転（２）のフローチャートとなるように乾燥運転を構成してもよい。図１０と図７の違いは、図１０において暖房運転中の室内温度Ｔｉｎを記憶するステップＳＴ２と、室内温度Ｔｉｎが、定数として予め設定されたＴ１より小さいか否かを判定するステップＳＴ３が加えられている点である。また、図１０の乾燥運転中の暖房運転（２）におけるステップＳＴ１、ステップＳＴ４が、図７の乾燥運転中の暖房運転（１）におけるステップＳＴ１、ステップＳＴ２に対応している。また、図１０のＴ１は、定数として予め設定されているものとしてもよいし、暖房運転開始前の温度、又は通常運転終了時の温度に応じて設定したＴ１としてもよい。
このように、ユーザーが暖房運転を含む乾燥運転を設定した場合でも、空気調和機１０２は室内温度に応じて暖房運転を終了させるので、室内機内部に残留する水分を乾燥させるとともに、室内環境を著しく悪化させてしまうことを抑制することができる。
【００５８】
［空気調和機１０２の変形例４］  
図１１は、本発明の実施の形態１に係る空気調和機１０２の乾燥運転時における室内機１００の表示動作について説明する図である。図１１に示すように、ユーザーが乾燥運転の設定を認識できるように、室内機１００に表示部４５が設けられているとよい。なお、図１１では、一例として、暖房運転を含む乾燥運転を設定している場合には表示部４５が橙色に点灯し、暖房運転を含まない乾燥運転を設定している場合には表示部４５が緑色に点灯する、という動作を図示している。
このように、表示部４５が、室内機１００に、乾燥運転の設定状態に合わせた表示をするとよい。ただし、図１１は、設定状態をユーザーが認識できるように室内機１００に表示する一例であり、表示方法は特に限定されるものではない。たとえば、この設定状態をユーザーに認識させるための表示は、室内機１００に一定時間表示された後に、消灯してもよいものとする。
【００５９】
このように、［空気調和機１０２の変形例１］〜［空気調和機１０２の変形例４］で説明した空気調和機１０２においても、ユーザーが、暖房運転を含む乾燥運転を行うか、或いは暖房運転を含まない乾燥運転を行うかを選択することができるので、室内機内部に残留する水分を乾燥させるとともに、乾燥運転によってユーザーの快適性が損なわれてしまうことを抑制することができる。
【００６０】
実施の形態２． 
図１２は、本発明の実施の形態２に係る空気調和機１０２の制御装置１９のシステム構成の一例を示す図である。図１３は、本発明の実施の形態２に係る空気調和機１０２の制御装置１９の電気的な接続を説明する図である。図１４は、図１３に示す制御装置１９の動作を説明するためのフローチャートである。図１５は、本発明の実施の形態２に係る空気調和機１０２の乾燥運転時におけるリモコン４１の表示動作について説明する図である。なお、本実施の形態２では、実施の形態１と同一部分には同一符号とし、実施の形態１との相違点を中心に説明するものとする。
【００６１】
図１３及び図１５に図示されるように、本実施の形態２に係る空気調和機１０２は、実施の形態１に係る空気調和機１０２の設定手段１８の代わりに、空気調和機１０２の運転を制御するリモコン４１に設定手段２４が設けられている。また、図１２に図示されるように、本実施の形態２に係る空気調和機１０２は、リモコン４１の設定手段２４から入力される設定が出力される暖房運転可否決定手段２５を有している。さらに、本実施の形態２に係る空気調和機１０２の暖房運転可否決定手段２５は、実施の形態１に係る空気調和機１０２の記憶手段２の代わりに、設定手段２４から入力される設定内容を記憶する記憶手段２６を有している。なお、設定手段２４は、たとえばボタン、スイッチなどで構成するとよい。また、リモコン４１に設定手段２４が設けられるとともに、室内機１００に設定手段１８（図３参照）が設けられていてもよいことは言うまでもない。
【００６２】
次に、図１４を参照しながら、本実施の形態２に係る空気調和機１０２の乾燥運転の動作について説明する。
（ＳＴ１）
制御装置１９は、冷房運転、除湿運転、又は暖房運転などの通常運転の終了に伴い、圧縮機９、室外送風機１０を停止させる。また、制御装置１９の吹き出し風量決定手段１１が、室内送風機１２を停止させる。
【００６３】
（ＳＴ２）
制御装置１９は、ステップＳＴ１の時点（通常運転の終了の時点）でのリモコン４１の設定を読み込む。
【００６４】
（ＳＴ３）
暖房運転可否決定手段２５は、ステップＳＴ２の設定に基づいて、暖房運転を含む乾燥運転を行うか、或いは暖房運転を含まない乾燥運転を行うかを決定する。なお、暖房運転を含む乾燥運転を行う設定の場合にステップＳＴ４に進み、暖房運転を含まない乾燥運転を行う設定の場合にステップＳＴ５に進む。
【００６５】
（ＳＴ４）
ステップＳＴ３にて暖房運転を含む乾燥運転を行うことが確認された場合は、制御装置１９は、暖房運転を含む乾燥運転を開始させる。つまり、制御装置１９は、暖房運転を実施するために、圧縮機９及び室外送風機１０を運転させる。また、制御装置１９の吹き出し風量決定手段１１は、吹き出し風量決定手段１１によって決定された風量で室内送風機１２を運転させる。
【００６６】
（ＳＴ５）
ステップＳＴ３にて暖房運転を含まない乾燥運転を行うことが確認された場合は、制御装置１９は、暖房運転を含まない乾燥運転を開始させる。つまり、制御装置１９の吹き出し風量決定手段１１は、吹き出し風量決定手段１１によって決定された風量で室内送風機１２を運転させる。また、圧縮機９及び室外送風機１０に関しては、停止させたままとする。
【００６７】
（ＳＴ６）
乾燥運転を構成する各運転が全て終了すると、制御装置１９は、圧縮機９、室外送風機１０及び室内送風機１２のうち運転しているものを停止させる。
【００６８】
なお、図１４のステップＳＴ４の詳細内容は図５のフローチャートに対応し、図５のステップＳＴ５、ステップＳＴ１１及びステップＳＴ１７が図７のフローチャートに対応している。また、図１４のステップＳＴ５の詳細内容は、図６のフローチャートに対応している。したがって、それらの説明はここでは省略する。
【００６９】
実施の形態１で説明した［空気調和機１０２の変形例１］〜［空気調和機１０２の変形例４］は、実施の形態２でも適用できることは言うまでもない。図１６及び図１７は、その態様を図示したものであり、詳細な説明については省略するものとする。
実施の形態２に係る空気調和機１０２においても、ユーザーが、暖房運転を含む乾燥運転を行うか、或いは暖房運転を含まない乾燥運転を行うかを選択することができるので、室内機内部に残留する水分を乾燥させるとともに、乾燥運転によってユーザーの快適性が損なわれてしまうことを抑制することができる。
【符号の説明】
【００７０】
１  暖房運転可否決定手段、２  記憶手段、３  暖房運転可否判定手段、４  乾燥運転内容決定手段、５  運転内容決定手段、６  運転時間決定手段、７  運転時間計測手段、９  圧縮機、１０  室外送風機、１１  吹き出し風量決定手段、１２  室内送風機、１３  室内熱交換器、１４  室外熱交換器、１５  四方弁、１６  膨張弁、１７  電源スイッチ、１８  設定手段、１９  制御装置、２０  メモリ、２１  入力回路、２２  ＣＰＵ、２３  出力回路、２４  設定手段、２５  暖房運転可否決定手段、２６  記憶手段、２７  動作装置、３１  風向決定手段、３２  風向板、３３  室内温度センサー、４０  室外機制御装置、４１  リモコン、４５  表示部、１００  室内機、１０１  室外機、１０２  空気調和機。
【図１】
0005511717.tif 000002
【図２】
0005511717.tif 000003
【図３】
0005511717.tif 000004
【図４】
0005511717.tif 000005
【図５】
0005511717.tif 000006
【図６】
0005511717.tif 000007
【図７】
0005511717.tif 000008
【図８】
0005511717.tif 000009
【図９】
0005511717.tif 000010
【図１０】
0005511717.tif 000011
【図１１】
0005511717.tif 000012
【図１２】
0005511717.tif 000013
【図１３】
0005511717.tif 000014
【図１４】
0005511717.tif 000015
【図１５】
0005511717.tif 000016
【図１６】
0005511717.tif 000017
【図１７】
0005511717.tif 000018